(57)【特許請求の範囲】
【請求項１】
通信装置間で制御信号を交換することで複数の伝送路資源を利用した通信が可能な通信システムであって、
前記通信装置間で送受信する単一の制御信号に、前記通信に利用する複数の伝送路資源を示す情報を含み、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記通信装置は、前記伝送路資源で障害が発生している場合、前記伝送路確立要求信号に対する伝送路確立応答信号で、前記伝送路資源で発生した障害を他の通信装置へ通知する通信システム。
【請求項２】
通信装置間で制御信号を交換することで複数の伝送路資源を利用した通信が可能な通信システムであって、
前記通信装置間で送受信する単一の制御信号に、前記通信に利用する複数の伝送路資源を示す情報を含み、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記通信装置は、前記伝送路確立要求信号にて要求された伝送路の確立に用いる伝送路資源で障害が発生している場合、前記伝送路確立要求信号に対する応答信号として、前記障害が発生した伝送路資源を示す情報を含む障害通知信号を、前記伝送路確立要求信号の要求元の通信装置へ返送する通信システム。
【請求項３】
前記通信システムに複数の伝送路資源を備え、
前記通信装置は、
前記伝送路資源を利用して同じ伝送路資源を利用する通信装置と通信を行う請求項１または２記載の通信システム。
【請求項４】
前記通信装置は、
前記伝送路資源の状態を管理する伝送路資源管理部と、
前記制御信号の送受信を行う制御信号制御部と、
を有する請求項１または２記載の通信システム。
【請求項５】
前記伝送路資源管理部は、
前記伝送路資源を利用した通信が必要であるか否かを判断する機能と、
前記通信に利用する伝送路資源を判断する機能と、
前記伝送路の確立を前記制御信号制御部に要求する機能と、
を有し、
前記制御信号制御部は、
前記伝送路資源管理部からの要求に応じて他の通信装置へ前記伝送路の確立を要求するための伝送路確立要求を送信する機能と、
複数の伝送路資源が必要な場合、前記制御信号に前記複数の伝送路資源を示す情報を含める機能と、
前記伝送路確立要求に対する応答信号である伝送路確立応答信号を受信すると、前記他の通信装置との伝送路の確立の成功または失敗を判断する機能と、
を有する請求項４記載の通信システム。
【請求項６】
前記通信装置は、
前記伝送路確立要求信号にて要求された伝送路の確立に用いる複数の伝送路資源に、障害が発生した伝送路資源が全て含まれる場合、障害が発生していない伝送路資源を用いた伝送路の確立が成功し、障害が発生した伝送路資源を用いた伝送路の確立が失敗したことを示す情報を含む伝送路確立応答信号を、前記伝送路確立要求信号の要求元の通信装置へ返送する請求項１から５のいずれか１項記載の通信システム。
【請求項７】
前記通信装置は、
前記伝送路確立要求信号にて要求された伝送路の確立に用いる複数の伝送路資源に、障害が発生した伝送路資源と障害が発生していない伝送路資源とが含まれる場合、障害が発生した伝送路資源を示す情報を含む障害通知信号を前記伝送路確立要求信号の要求元の通信装置へ返送し、
該要求元の通信装置から返送される障害通知応答信号を受信すると、障害が発生していない伝送路資源を用いた伝送路の確立が成功し、障害が発生した伝送路資源を用いた伝送路の確立が失敗したことを示す情報を含む伝送路確立応答信号を、前記伝送路確立要求信号の要求元の通信装置へ返送する請求項１から６のいずれか１項記載の通信システム。
【請求項８】
ＡＴＭ通信網を利用した通信が可能なＡＴＭ通信装置を備え、
前記通信装置は、
前記伝送路確立要求信号、前記伝送路解放要求信号または前記障害通知信号を、前記ＡＴＭ通信装置を介して前記他の通信装置へ通知する請求項１から７のいずれか１項記載の通信システム。
【請求項９】
制御信号を交換することで複数の伝送路資源を利用した通信が可能な通信装置であって、
前記通信に利用する複数の伝送路資源を示す情報を単一の制御信号に含める制御信号制御部を有し、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記制御信号制御部は、前記伝送路資源で障害が発生している場合、前記伝送路確立要求信号に対する伝送路確立応答信号で、前記伝送路資源で発生した障害を他の通信装置へ通知する通信装置。
【請求項１０】
制御信号を交換することで複数の伝送路資源を利用した通信が可能な通信装置であって、
前記通信に利用する複数の伝送路資源を示す情報を単一の制御信号に含める制御信号制御部を有し、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記制御信号制御部は、前記伝送路確立要求信号にて要求された伝送路の確立に用いる伝送路資源で障害が発生している場合、前記伝送路確立要求信号に対する応答信号として、前記障害が発生した伝送路資源を示す情報を含む障害通知信号を、前記伝送路確立要求信号の要求元の通信装置へ返送する通信装置。
【請求項１１】
前記複数の伝送路資源と接続するための複数の終端装置を備え、
前記伝送路資源を利用して同じ伝送路資源を利用する通信装置と通信を行う請求項９または１０記載の通信装置。
【請求項１２】
前記通信装置は、
前記伝送路資源の状態を管理する伝送路資源管理部をさらに有し、
前記制御信号制御部は、
前記伝送路資源管理部からの要求に応じて前記制御信号の送受信を行う請求項９または１０記載の通信装置。
【請求項１３】
前記伝送路資源管理部は、
前記伝送路資源を利用した通信が必要であるか否かを判断する機能と、
前記通信に利用する伝送路資源を判断する機能と、
前記伝送路の確立を前記制御信号制御部に要求する機能と、
を有し、
前記制御信号制御部は、
前記伝送路資源管理部からの要求に応じて他の通信装置へ前記伝送路の確立を要求するための伝送路確立要求を送信する機能と、
複数の伝送路資源が必要な場合、前記制御信号に前記複数の伝送路資源を示す情報を含める機能と、
前記伝送路確立要求に対する応答信号である伝送路確立応答信号を受信すると、前記他の通信装置との伝送路の確立の成功または失敗を判断する機能と、
を有する請求項１２記載の通信装置。
【請求項１４】
前記制御信号制御部は、
前記伝送路確立要求信号にて要求された伝送路の確立に用いる複数の伝送路資源に、障害が発生した伝送路資源が全て含まれる場合、障害が発生していない伝送路資源を用いた伝送路の確立が成功し、障害が発生した伝送路資源を用いた伝送路の確立が失敗したことを示す情報を含む伝送路確立応答信号を、前記伝送路確立要求信号の要求元の通信装置へ返送する請求項９から１３のいずれか１項記載の通信装置。
【請求項１５】
前記制御信号制御部は、
前記伝送路確立要求信号にて要求された伝送路の確立に用いる複数の伝送路資源に、障害が発生した伝送路資源と障害が発生していない伝送路資源とが含まれる場合、障害が発生した伝送路資源を示す情報を含む障害通知信号を前記伝送路確立要求信号の要求元の通信装置へ返送し、
該要求元の通信装置から返送される障害通知応答信号を受信すると、障害が発生していない伝送路資源を用いた伝送路の確立が成功し、障害が発生した伝送路資源を用いた伝送路の確立が失敗したことを示す情報を含む伝送路確立応答信号を伝送路確立要求信号の要求元の通信装置へ返送する請求項９から１４のいずれか１項記載の通信装置。
【請求項１６】
通信装置間で制御信号を交換することで複数の伝送路資源を利用した通信を可能にするための伝送路制御方法であって、
前記通信装置間で送受信する単一の制御信号に、前記通信に利用する複数の伝送路資源を示す情報を含み、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記通信装置が、前記伝送路資源で障害が発生している場合、前記伝送路確立要求信号に対する伝送路確立応答信号で、前記伝送路資源で発生した障害を他の通信装置へ通知する伝送路制御方法。
【請求項１７】
通信装置間で制御信号を交換することで複数の伝送路資源を利用した通信を可能にするための伝送路制御方法であって、
前記通信装置間で送受信する単一の制御信号に、前記通信に利用する複数の伝送路資源を示す情報を含み、
前記制御信号に、前記伝送路の確立を要求するための伝送路確立要求信号、伝送路の解放を要求する伝送路解放要求信号、伝送資源で発生した障害を通知するための障害通知信号のいずれかを含み、
前記通信装置が、前記伝送路確立要求信号にて要求された伝送路の確立に用いる伝送路資源で障害が発生している場合、前記伝送路確立要求信号に対する応答信号として、前記障害が発生した伝送路資源を示す情報を含む障害通知信号を、前記伝送路確立要求信号の要求元の通信装置へ返送する伝送路制御方法。
【請求項１８】
通信システムに複数の伝送路資源を備えておき、
前記伝送路資源を利用して同じ伝送路資源を利用する通信装置間で通信を行う請求項１６または１７記載の伝送路制御方法。
【請求項１９】
前記通信装置が、
前記伝送路資源を利用した通信が必要であるか否かを判断する処理と、
前記通信に利用する伝送路資源を判断する処理と、
前記伝送路の確立を要求する処理と、
他の通信装置へ前記伝送路の確立を要求するための伝送路確立要求を送信する処理と、
複数の伝送路資源が必要な場合、前記制御信号に前記複数の伝送路資源を示す情報を含める処理と、
前記伝送路確立要求に対する応答信号である伝送路確立応答信号を受信すると、前記他の通信装置との伝送路の確立の成功または失敗を判断する処理と、
を有する請求項１６または１７記載の伝送路制御方法。
【請求項２０】
前記通信装置が、
前記伝送路確立要求信号にて要求された伝送路の確立に用いる複数の伝送路資源に、障害が発生した伝送路資源が全て含まれる場合、障害が発生していない伝送路資源を用いた伝送路の確立が成功し、障害が発生した伝送路資源を用いた伝送路の確立が失敗したことを示す情報を含む伝送路確立応答信号を、前記伝送路確立要求信号の要求元の通信装置へ返送する請求項１６から１９のいずれか１項記載の伝送路制御方法。
【請求項２１】
前記通信装置が、
前記伝送路確立要求信号にて要求された伝送路の確立に用いる複数の伝送路資源に、障害が発生した伝送路資源と障害が発生していない伝送路資源とが含まれる場合、障害が発生した伝送路資源を示す情報を含む障害通知信号を前記伝送路確立要求信号の要求元の通信装置へ返送し、
該要求元の通信装置から返送される障害通知応答信号を受信すると、障害が発生していない伝送路資源を用いた伝送路の確立が成功し、障害が発生した伝送路資源を用いた伝送路の確立が失敗したことを示す情報を含む伝送路確立応答信号を、前記伝送路確立要求信号の要求元の通信装置へ返送する請求項１６から２０のいずれか１項記載の伝送路制御方法。
【請求項２２】
前記通信装置が、
ＡＴＭ通信網を利用した通信が可能なＡＴＭ通信装置を介して、前記伝送路確立要求信号、前記伝送路解放要求信号または前記障害通知信号を、前記他の通信装置へ通知する請求項１６から２１のいずれか１項記載の伝送路制御方法。
【発明の詳細な説明】
【技術分野】
【０００１】
本発明は、装置間でユーザデータを送受信するために伝送路資源を活用する通信システム、通信装置及びその伝送路制御方法に関する。
【背景技術】
【０００２】
一般に、移動通信システムでは既存の各種伝送路資源を利用して通信装置間でユーザデータが送受信される。通信装置で利用する伝送路資源の代表的なものとしては、例えばＡＴＭ（Asynchronous Transfer Mode）通信網がある（特開平１０−１９０６３３号公報や特開２０００−０４１０５１号公報参照）。【０００３】
このＡＴＭ通信網を利用した従来の伝送路制御方法について図面を用いて説明する。【０００４】
図１は伝送路資源を利用して通信を行う従来の通信システムの構成を示すブロック図である。【０００５】
図１は、２つの通信装置（第１の通信装置５及び第２の通信装置６）が、複数の伝送路資源（図１では伝送路資源＃１〜＃３）を利用して通信を行う場合の構成例を示している。第１の通信装置５は伝送路資源＃１〜＃３と接続するための終端装置５１〜５３を備え、第２の通信装置６は伝送路資源＃１〜＃３と接続するための終端装置６１〜６３を備えている。終端装置５１及び６１は伝送路資源＃１を利用して通信するための装置であり、終端装置５２及び６２は伝送路資源＃２を利用して通信するための装置である。また、終端装置５３及び６３は伝送路資源＃３を利用して通信するための装置である。【０００６】
図１に示す第１の通信装置５と第２の通信装置６は、各種の制御信号を交換することで複数の伝送路資源を利用することが可能になる。例えば伝送路資源としてＡＴＭ通信網を利用する場合、伝送路の確立要求や解放要求、障害発生通知等をＡＴＭ制御信号として交換することで、ＡＴＭ通信網の通信回線、交換機、中継装置等が利用可能になる。これらＡＴＭ制御信号には、通信に利用する伝送路資源、伝送路の確立成功や失敗、伝送路資源で発生した障害の有無等の伝送路の制御に必要な各種の情報が含まれる。ＡＴＭ制御信号は、第１の通信装置５が備える制御信号制御部５０及び第２の通信装置６が備える制御信号制御部６０によって送受信される。【０００７】
次に図１に示した第１の通信装置５と第２の通信装置６間で制御信号を交換する際の手順について図２〜図４を用いて説明する。【０００８】
図２は図１に示した第１の通信装置５と第２の通信装置６間に伝送路資源＃１を用いて伝送路を確立する場合のＡＴＭ制御信号の交換手順を示し、図３及び図４は伝送路線路で障害が発生したときに、その情報を通知するためのＡＴＭ制御信号の交換手順を示している。【０００９】
図２に示すように、第１の通信装置５と第２の通信装置６間に伝送路を確立する場合、第１の通信装置５は、まず伝送路の確立を要求するためのＡＴＭ制御信号である伝送路確立要求を第２の通信装置へ送信する（ステップｈ１）。ここでは、この要求に通信で利用する伝送路資源＃１を示す情報が含まれる。【００１０】
第２の通信装置６は、第１の通信装置５から伝送路確立要求を受信すると、その要求内容を解析し、第１の通信装置５との間で伝送路資源＃１を利用した通信を受け入れるか否かを判断する。伝送路資源＃１を利用した通信を受け入れる場合、第２の通信装置６は第１の通信装置５に対してＡＴＭ制御信号である伝送路確立応答を返送する（ステップｈ２）。【００１１】
図３は図１に示した伝送路資源＃２及び＃３が障害の発生により使用できなくなった場合のＡＴＭ制御信号の交換手順を示している。【００１２】
この場合、第２の通信装置６は、伝送路資源＃２及び＃３で障害が発生したことを検出すると、障害の発生を検出した伝送路資源＃２及び＃３を示す情報を含むＡＴＭ制御信号である障害通知信号を第１の通信装置５へ送信する。このとき、従来の伝送路制御方法では、第２の通信装置６から第１の通信装置５に対して、伝送路資源＃２で障害が発生したことを通知するための障害通知信号（資源＃２）と、伝送路資源＃３で障害が発生したことを通知するための障害通知信号（資源＃３）とが個別に送信される（ステップｉ１、ｉ２）。【００１３】
一方、第１の通信装置５から第２の通信装置６へは、障害通知信号（資源＃２）に応答するためのＡＴＭ制御信号である障害通知応答信号（＃２）と、障害通知信号（資源＃３）に応答するためのＡＴＭ制御信号である障害通知応答信号（＃３）とが個別に返送される（ステップｉ３、ｉ４）。【００１４】
図４は、図１に示した第１の通信装置５と第２の通信装置６間に伝送路を確立する際に、伝送路資源＃１で障害発生を検出した場合のＡＴＭ制御信号の交換手順を示している。【００１５】
この場合、第１の通信装置５が伝送路の確立を要求するための伝送路確立要求を第２の通信装置へ送信すると（ステップｊ１）、第２の通信装置６は第１の通信装置５へ伝送路資源＃１で障害が発生したことを通知するための障害通知信号（資源＃１）を送信する（ステップｊ２）。【００１６】
第１の通信装置５は、障害通知信号（資源＃１）に応答するためのＡＴＭ制御信号である障害通知応答信号（資源＃１）を第２の通信装置６へ返送する（ステップｊ３）。このように伝送路の確立中に伝送路資源で障害が発生した場合、ステップＪ４で示すように第２の通信装置６から第１の通信装置５へは伝送路確立応答信号は返送されない。【００１７】
上述した従来の伝送路制御方法では、複数の伝送路を同時に確立する場合、各伝送路で利用する伝送路資源の情報を交換するために複数の制御信号を送受信する必要がある。また、複数の伝送路資源で障害が同時に発生した場合、それら障害が発生した伝送路資源の情報を交換するために複数の制御信号を送受信する必要がある。
【発明の開示】
【００１８】
そこで、本発明は、通信装置間で交換する制御信号の量を低減できる通信システム、通信装置及びその伝送路制御方法を提供することを目的とする。
【００１９】
上記目的を達成するため本発明では、通信装置間で送受信する単一の制御信号に、通信に利用する複数の伝送路資源、複数の伝送路資源の解放要求、複数の伝送路資源の障害通知等の情報を含めて一度に送受信する。したがって、制御信号の量を低減できる。
【図面の簡単な説明】
【００２０】
【図１】図１は伝送路資源を利用して通信を行う従来の通信システムの構成を示すブロック図である。
【図２】図２は図１に示した第１の通信装置と第２の通信装置間に伝送路を確立する場合のＡＴＭ制御信号の交換手順を示すシーケンス図である。
【図３】図３は図１に示した伝送路資源＃２及び＃３が障害発生により使用できなくなった場合の制御信号の交換手順を示している。
【図４】図４は図１に示した第１の通信装置と第２の通信装置間に伝送路を確立する際に、伝送路資源＃１で障害発生を検出した場合の制御信号の交換手順を示すシーケンス図である。
【図５】図５は本発明の通信装置の第１の実施の形態の構成を示すブロック図である。
【図６】図６は本発明の通信装置間で伝送路を確立するときの制御信号の交換手順を示すシーケンス図である。
【図７】図７は複数の伝送路資源で障害が発生して使用できなくなった場合の本発明の通信システムにおける制御信号の交換手順を示している。
【図８】図８は図５に示した通信装置を備えた通信システムの一構成例を示すブロック図である。
【図９】図９は図８に示した通信システムにおけるパターン＃１の制御信号の交換手順を示すシーケンス図である。
【図１０】図１０は図８に示した通信システムにおけるパターン＃２の制御信号の交換手順を示すシーケンス図である。
【図１１】図１１は図８に示した通信システムにおけるパターン＃３の制御信号の交換手順を示すシーケンス図である。
【図１２】図１２は図８に示した通信システムにおける伝送路資源解放時の制御信号の交換手順を示すシーケンス図である。
【図１３】図１３は本発明の通信システムの動作を示すシーケンス図である。
【図１４】図１４は図５に示した伝送路資源管理部及び制御信号制御部の処理手順を示すフローチャートである。
【図１５】図１５は本発明の通信システムの第２の実施の形態の構成を示すブロック図である。
【発明を実施するための最良の形態】
【００２１】
（第１の実施の形態）
図５は本発明の通信装置の第１の実施の形態の構成を示すブロック図である。【００２２】
図５に示すように、本発明の通信装置は、制御信号制御部１０、伝送路資源管理部１１、データベース１２及び伝送路資源と接続される複数の終端装置１３１〜１３Ｎ（Ｎは正数）から成る終端装置群１３を有する構成である。【００２３】
終端装置１３１〜１３Ｎは、伝送路資源＃１〜＃Ｎに接続される。図５に示す通信装置は、これらのＮ個の終端装置１３１〜１３Ｎを介して接続される伝送路資源＃１〜＃Ｎを利用することで、同様の構成を備えた他の通信装置（不図示）とユーザデータの送受信が可能になる。【００２４】
伝送路資源管理部１１は、終端装置１３１〜１３Ｎを介して接続される各伝送路資源＃１〜＃Ｎの状態（使用中であるか否か、故障が発生しているか否か等）を管理する。伝送路資源管理部３１は、伝送路資源＃１〜＃Ｎを利用した他の通信装置との通信可否を判断する機能と、他の通信装置との間に確立している伝送路でどの伝送路資源＃１〜＃Ｎを利用しているかを判定する機能と、伝送路の確立を制御信号制御部１０へ要求する機能とを備えている。伝送路資源＃１〜＃Ｎの状態を示す情報は、データベース１２で保存される。【００２５】
制御信号制御部１０は、伝送路資源管理部１１からの要求に応じて、他の通信装置との間に伝送路を確立するための伝送路確立要求信号を送信する機能と、他の通信装置からの伝送路確立応答を受信し、該通信装置との間の伝送路の確立／失敗を判定する機能とを備えている。【００２６】
本実施形態の通信装置は、従来の通信装置と同様に各種の制御信号を交換することで複数の伝送路資源を利用することが可能になる。この制御信号は、各通信装置が備える制御信号制御部１０によって送受信される。但し、本実施形態の通信装置では、従来の通信装置と異なり、複数の伝送路の確立要求、複数の伝送路で利用している伝送路資源の解放要求、複数の伝送路資源で発生した障害の通知等を単一の制御信号によりまとめて行う。【００２７】
伝送路資源管理部１１及び制御信号制御部１０は、例えば各種の論理ゲートから構成されたＬＳＩあるいはプログラムにしたがって動作するＣＰＵやＤＳＰ等によって実現可能である。【００２８】
次に本発明の伝送路制御方法について図面を用いて説明する。【００２９】
図６は本発明の通信装置間で伝送路を確立するときの制御信号の交換手順を示すシーケンス図である。図６は、２つの通信装置（第１の通信装置及び第２の通信装置）間に、複数の伝送路資源（図６の例では伝送路資源＃１〜＃３）を用いて伝送路を確立する場合の制御信号の交換手順を示している。【００３０】
図６に示すように、第１の通信装置と第２の通信装置間に伝送路資源＃１〜＃３を利用した伝送路を確立する場合、第１の通信装置は、まず伝送路の確立を要求するための伝送路確立要求信号を第２の通信装置へ送信する（ステップａ１）。本実施形態の伝送路制御方法では、伝送路資源＃１〜＃３を利用した伝送路の確立要求を単一の伝送路確立要求信号（資源＃１、資源＃２、資源＃３）によって行う。この伝送路確立要求信号には、通信に利用する伝送路資源＃１〜＃３を指定する情報が含まれる。【００３１】
第２の通信装置は、第１の通信装置から伝送路確立要求信号（資源＃１、資源＃２、資源＃３）を受信すると、その要求内容を解析し、第１の通信装置との間で伝送路資源＃１〜＃３を利用した通信を受け入れるか否かを判断する。そして、伝送路資源＃１〜＃３を利用した通信を受け入れる場合は、第１の通信装置に対して伝送路確立応答信号（資源＃１、資源＃２、資源＃３）を返送する（ステップａ２）。本実施形態では、この単一の伝送路確立応答信号に、通信に利用する伝送路資源＃１〜＃３を指定する情報が含まれる。【００３２】
図７は複数の伝送路資源（図７の例では伝送路資源＃２及び＃３）で障害が発生して使用できなくなった場合の制御信号の交換手順を示している。【００３３】
第２の通信装置は、伝送路資源＃２及び＃３で障害が発生したことを検出すると、伝送路資源＃２及び＃３で障害が発生したことを通知するための障害通知信号（資源＃２、資源＃３）を第１の通信装置へ送信する（ステップｂ１）。本実施形態の伝送路制御方法では、この単一の障害通知信号に障害が発生した伝送路資源＃２及び＃３を指定する情報が含まれる。【００３４】
第１の通信装置は、第１の通信装置から障害通知信号（資源＃２、資源＃３）を受信すると、それに応答するための障害通知応答信号（資源＃２、＃３）を第２の通信装置へ返送する（ステップｂ２）。本実施形態の伝送路制御方法では、この単一の障害通知応答信号に障害が発生した伝送路資源＃２及び＃３を指定する情報が含まれる。【００３５】
図８は本発明の通信装置を備える通信システムの一構成例を示すブロック図である。【００３６】
図８に示す第１の通信装置１は制御信号制御部１０及び終端装置１３１〜１３３を備え、第２の通信装置２は制御信号制御部２０及び終端装置２３１〜２３３を備えた構成である。終端装置１３１及び２３１は伝送路資源＃１を利用して通信するための装置であり、終端装置１３２及び２３２は伝送路資源＃２を利用して通信するための装置であり、終端装置１３３及び２３３は伝送路資源＃３を利用して通信するための装置である。【００３７】
図８では第１の通信装置１及び第２の通信装置２が備える、伝送路資源管理部、制御信号制御部及びデータベースを省略した様子を示している。ここでは、第２の通信装置２が備える終端装置２３２及び２３３によって伝送路資源＃２及び＃３で障害が発生したことを検出し、伝送路資源＃２及び＃３が使用できない状態にあるものとする。【００３８】
以下、図８に示した通信システムを例にして、伝送路資源で障害が発生した場合の、本実施形態の通信システムによる制御信号の交換手順について図９〜図１１を用いて説明する。【００３９】
なお、以下では、伝送路資源＃１〜＃３を利用した伝送路の確立を試みる場合の制御信号の交換手順をパターン＃１と定義し、伝送路資源＃１、＃２を利用した伝送路の確立を試みる場合の制御信号の交換手順をパターン＃２と定義し、伝送路資源＃２、＃３を利用した伝送路の確立を試みる場合の制御信号の交換手順をパターン＃３と定義する。伝送路資源＃２及び＃３では、これらの確立要求が発生する直前に障害が発生したものとする。【００４０】
図９は図８に示した通信システムにおけるパターン＃１の制御信号の交換手順を示すシーケンス図である。【００４１】
パターン＃１では、図９に示すように、第１の通信装置１は伝送路資源＃１、＃２、＃３を利用した伝送路の確立を一度に要求するための伝送路確立要求信号（資源＃１、＃２、＃３）を第２の通信装置へ送信する（ステップｃ１）。この伝送路確立要求信号には、通信で利用する伝送路資源＃１〜＃３を指定する情報が含まれる。【００４２】
第２の通信装置２は、伝送路資源＃２及び＃３の障害発生を検出しているため、伝送路資源＃２及び＃３で障害が発生していることを示す障害通知信号（資源＃２、＃３）を第１の通信装置１へ送信しようとする。しかしながら、ここでは第１の通信装置１から伝送路資源＃１〜＃３を指定した伝送路確立要求信号を受信したため、第１の通信装置１へ障害通知信号を送信せず（ステップｃ２）、伝送路確立応答信号を送信する（ステップｃ３）。この伝送路確立応答信号には、伝送路資源＃１を利用する伝送路の確立が成功し、伝送路資源＃２及び＃３を利用する伝送路の確立が失敗したことを示す情報が含まれる。【００４３】
図１０は図８に示した通信システムにおけるパターン＃２の制御信号の交換手順を示すシーケンス図である。【００４４】
パターン＃２では、図１０に示すように、第１の通信装置１は伝送路資源＃１、＃２を利用した伝送路の確立を一度に要求するための伝送路確立要求信号（資源＃１、＃２）を第２の通信装置２へ送信する（ステップｄ１）。この伝送路確立要求信号には、通信で利用する伝送路資源＃１、＃２を指定する情報が含まれる。【００４５】
第２の通信装置２は、伝送路資源＃２及び＃３の障害発生を検出しているため、伝送路資源＃２及び＃３で障害が発生していることを示す障害通知信号（資源＃２、＃３）を第１の通信装置へ送信しようとする。しかしながら、ここでは第１の通信装置１から伝送路資源＃１及び＃２を指定した伝送路確立要求信号を受信したため、第１の通信装置１へ伝送路資源＃２の障害発生を通知するための障害通知信号（資源＃２）を送信する（ステップｄ２）。この障害通知信号には伝送路資源＃２で障害が発生していることを示す情報が含まれる。【００４６】
第１の通信装置１は、受信した障害通知信号（資源＃２）に対する障害通知応答信号を第２の通信装置２に送信する（ステップｄ３）。この障害通知応答信号には障害が発生した伝送路資源＃２を示す情報が含まれる。【００４７】
その後、第２の通信装置２は、制御信号制御部２０を用いて伝送路確立応答信号を第１の通信装置１に送信する（ステップｄ４）。この伝送路確立応答信号には、伝送路資源＃１を利用する伝送路の確立が成功し、伝送路資源＃２を利用する伝送路の確立が失敗したことを示す情報が含まれる。【００４８】
図１１は図８に示した通信システムにおけるパターン＃３の制御信号の交換手順を示すシーケンス図である。【００４９】
パターン＃３では、図１１に示すように、第１の通信装置１は伝送路資源＃２、＃３を利用した伝送路の確立を一度に要求するための伝送路確立要求信号（資源＃２、＃３）を第２の通信装置２へ送信する（ステップｅ１）。この伝送路確立要求信号には、通信で利用する伝送路資源＃２及び＃３を指定する情報が含まれる。【００５０】
第２の通信装置２は、第１の通信装置１から、障害発生を検出した伝送路資源＃２及び＃３を指定した伝送路確立要求信号を受信したため、ここでは伝送路資源＃２及び＃３の障害発生を通知するための障害通知信号（資源＃２、＃３）を第１の通信装置１へ送信する（ステップｅ２）。この障害通知信号には伝送路資源＃２及び＃３で障害が発生していることを示す情報が含まれる。【００５１】
第１の通信装置１は、受信した障害通知信号（資源＃２、＃３）に対する障害通知応答信号（資源＃２、＃３）を第２の通信装置２に送信する（ステップｅ３）。この障害通知応答信号には障害が発生した伝送路資源＃２及び＃３を示す情報が含まれる。【００５２】
この場合、第２の通信装置２は、第１の通信装置１へ伝送路資源＃２及び＃３の障害発生を示す障害通知信号を既に送信しているので、伝送路確立応答信号を第１の通信装置１へ送信しない（ステップｅ４）。【００５３】
図１２は本発明の通信システムにおける伝送路資源解放時の制御信号の交換手順を示すシーケンス図である。【００５４】
図１２は、例えば図８に示した通信システムにおいて、通信の終了に伴って各伝送路で利用していた伝送路資源＃１、＃２、＃３を全て解放する場合の制御信号の交換手順を示している。【００５５】
図１２に示すように、第１の通信装置１と第２の通信装置２間で利用していた伝送路資源＃１、＃２、＃３を解放する場合、第１の通信装置１は、まず伝送路資源＃１、＃２、＃３の解放を一度に要求するための伝送路解放要求信号（資源＃１、＃２、＃３）を第２の通信装置２へ送信する（ステップｆ１）。この伝送路解放要求信号には確立した伝送路で利用していた伝送路資源＃１、＃２、＃３を指定する情報が含まれる。【００５６】
第２の通信装置２は、第１の通信装置１から伝送路解放要求（資源＃１、＃２、＃３）を受信すると、第１の通信装置１との間の通信に利用していた伝送路資源＃１〜＃３を解放（各終端装置と通信回線の接続を切断）し、その伝送路解放応答信号（資源＃１、＃２、＃３）を第１の通信装置１に送信する（ステップｆ２）。【００５７】
図１３は本発明の通信システムの動作を示すシーケンス図である。【００５８】
なお、図１３は、図８に示した通信システムを例に、第１の通信装置１と第２の通信装置２間に、複数の伝送路資源を用いた伝送路を確立する場合の第１の通信装置１の処理手順を示している。【００５９】
図１３に示すように、第１の通信装置１の伝送路資源管理部１１は、第２の通信装置２との間で複数の伝送路の確立が必要と判断した場合（ステップｇ１）、制御信号制御部１０に対して第２の通信装置との間で複数の伝送路の確立を指示する。【００６０】
制御信号制御部１０は、伝送路資源管理部１１からの指示にしたがって単一の伝送路確立要求信号を生成し、その伝送路確立要求信号に、各伝送路で利用する複数の伝送路資源を示す情報を含める（ステップｇ２）。【００６１】
制御信号制御部１０は、伝送路確立要求信号を生成すると、その伝送路確立要求信号を第２の通信装置２に送信する（ステップｇ３）。一方、制御信号制御部１０は、伝送路確立要求信号に対する第２の通信装置２からの伝送路確立応答信号を受信すると（ステップｇ４）、伝送路資源管理部１１に対して該伝送路確立応答信号に含まれる情報を転送する。ここでは、伝送路の確立が成功しているため、伝送路資源管理部１１は制御信号制御部１０から転送された情報に基づき、通信に用いる複数の伝送路の確立が成功したと判定する（ステップｇ５）。【００６２】
図１４は図５に示した伝送路資源管理部及び制御信号制御部の処理手順を示すフローチャートである。【００６３】
なお、図１４は、図８に示した通信システムを例に、第１の通信装置１と第２の通信装置２間に、複数の伝送路資源を用いた伝送路を確立する場合の第１の通信装置１が備える伝送路資源管理部１１の処理手順を示している。図１４では、伝送路の確立時に伝送路資源で障害発生している場合の処理も含まれている。【００６４】
図１４に示すように、第１の通信装置１の伝送路資源管理部１１は、第２の通信装置２との通信に複数の伝送路が必要と判断した場合（ステップＳ１）、制御信号制御部１０に対して第２の通信装置２との間で複数の伝送路を確立する旨を指示する。【００６５】
制御信号制御部１０は、伝送路資源管理部１１からの指示にしたがって複数の伝送路資源を示す情報を含む単一の伝送路確立要求信号を作成し、該伝送路確立要求信号を第２の通信装置へ送信する（ステップＳ２）。【００６６】
伝送路資源で障害が発生している場合（ステップＳ３）、制御信号制御部１０は、まず第２の通信装置２から既に伝送路確立応答信号を受信しているか否かを判定する（ステップＳ４）。【００６７】
第２の通信装置２から伝送路確立応答信号を受信している場合、第２の通信装置２から障害通知信号を受信すると、確立済みの伝送路で利用していた、障害が発生している伝送路資源を解放する（ステップＳ５）。一方、第２の通信装置から伝送路確立応答信号を未だ受信していない場合は（ステップＳ４）、確立待ちの伝送路で利用する伝送路資源のうち、その一部に障害が発生していない伝送路資源（障害対象外）があるか否かを判定する（ステップＳ６）。【００６８】
制御信号制御部１０は、確立待ちの伝送路で利用する伝送路資源のうち、その一部に障害が発生していない伝送路資源がない場合、すなわち確立待ちの伝送路で利用する全ての伝送路資源で障害が発生している場合は、第２の通信装置２から障害通知信号を受信すると、障害が発生している伝送路資源を解放し、全ての伝送路の確立が失敗したと判断する（ステップＳ７）。それ以外は、障害が発生している複数の伝送路資源のうち、その一部を確立待ちの伝送路で利用しないか否か（確立待ち伝送路資源の対象外）を判定する（ステップＳ８）。【００６９】
障害が発生している伝送路資源のうち、その一部を確立待ちの伝送路で利用しない場合、すなわち障害が発生している伝送路資源の一部を伝送路の確立に利用する場合、制御信号制御部１０は、第２の通信装置２から障害通知信号及び伝送路確立応答信号を受信する。その場合、確立待ちの伝送路で利用する伝送路資源のうちの、障害が発生している伝送路資源を利用する伝送路の確立が失敗と判断し、障害が発生していない伝送路資源を利用する伝送路の確立が成功と判断する。また、制御信号制御部１０は、障害が発生している確立済みの伝送路で利用する伝送路資源を解放する（ステップＳ９）。【００７０】
一方、障害が発生している伝送路資源の全てを伝送路の確立に利用する場合、制御信号制御部１０は、第２の通信装置２から送信された伝送路確立応答を受信し、障害通知信号は受信しない。その場合、制御信号制御部１０は、複数の確立待ちの伝送路で利用する伝送路資源のうち、障害が発生している伝送路資源を利用する伝送路の確立が失敗と判断し、障害が発生していない伝送路資源を利用する伝送路の確立が成功と判断する（ステップＳ１０）。【００７１】
本実施形態の通信装置によれば、複数の伝送路を一度に確立したい場合、単一の制御信号を用いて複数の伝送路の確立を要求するため、伝送路の確立に用いる制御信号の量を低減できる。【００７２】
また、複数の伝送路資源で一度に障害が発生した場合、単一の制御信号を用いて複数の伝送路資源で障害が発生していることを通知するため、障害発生を通知するために用いる制御信号の量を低減できる。【００７３】
さらに、本実施例の通信装置では、確立された複数の伝送路で利用していた伝送路資源を一度に解放する場合、単一の制御信号を用いて複数の伝送路資源の解放を要求するため、伝送路資源の解放に用いる制御信号の量を低減できる。【００７４】
また、本実施例では、障害通知信号または伝送路確立応答信号のいずれか一方の信号を用いて各伝送路資源で障害が発生しているか否かを通知するため、伝送路資源で障害が発生しているか否かの情報を、制御信号の量を低減しつつ各通信装置間で同一にできる。そのため、伝送路を確立する際に、その伝送路で用いる伝送路資源の一部で障害が発生していても、誤って障害が発生している伝送路資源を利用して伝送路を確立してしまうことが無い。【００７５】
（第２の実施の形態）
図１５は本発明の通信システムの第２の実施の形態の構成を示すブロック図である。【００７６】
第２の実施の形態の通信システムは、第１の実施の形態で示した通信装置が、従来の技術で示したＡＴＭ制御信号を送受信するＡＴＭ通信装置を介して制御信号を送受信する構成である。但し、本実施例の通信装置とＡＴＭ通信装置とは、第１の実施の形態で示した伝送路制御方法にしたがって、単一の制御信号により複数の伝送路確立要求、伝送路解放要求、障害通知等が送受信可能な構成とする。【００７７】
図１５に示すように、第２の実施の形態の通信装置３は、制御信号制御部３０、伝送路資源管理部３１及びデータベース３２及び伝送路資源＃１〜＃Ｎと接続される複数の終端装置３３１〜３３Ｎを備えている。【００７８】
ＡＴＭ通信装置４は、制御信号制御部４０、伝送路資源管理部４１、データベース４２及び伝送路資源＃１〜＃Ｎと接続される複数の終端装置を備えている。【００７９】
ＡＴＭ通信装置４は、上述したようにＡＴＭ制御信号を取り扱うことが可能であり、通信装置３から送信された制御信号に複数の伝送路の確立要求や解放要求あるいは複数の伝送路資源で発生した障害を通知する情報が含まれている場合、伝送路の確立要求や解放要求あるいは複数の伝送路資源で発生した障害を通知する各情報をそれぞれ個別の制御信号を用いてＡＴＭ制御信号としてＡＴＭ通信網を利用して送信する。【００８０】
また、ＡＴＭ通信網を介してＡＴＭ制御信号を受信した場合は、伝送路の確立要求や解放要求あるいは複数の伝送路資源で発生した障害を通知する情報を単一の制御信号に含めて通信装置３へ送信する。【００８１】
通信装置３は、第１の実施の形態で示した通信装置と同様の構成であり、仮想的に複数の伝送路資源を管理できる。ここで、仮想的な伝送路資源の管理方法としては、例えば移動通信システムが備える移動端末装置に対して一意に決まる呼毎に呼情報を割り当てる方法が考えられる。この場合の呼情報は、仮想的な伝送路資源の管理における伝送路資源の最小単位となる。呼情報は物理的な伝送路資源に１対１で対応している。【００８２】
本実施形態によれは、第１の実施の形態で示した本発明の伝送路制御方法を適用していない通信装置を介して制御信号を送受信する場合でも、第１の実施の形態の通信装置と同様に複数の伝送路資源を利用できる。
【図１】
0004509187.tif 000002
【図２】
0004509187.tif 000003
【図３】
0004509187.tif 000004
【図４】
0004509187.tif 000005
【図５】
0004509187.tif 000006
【図６】
0004509187.tif 000007
【図７】
0004509187.tif 000008
【図８】
0004509187.tif 000009
【図９】
0004509187.tif 000010
【図１０】
0004509187.tif 000011
【図１１】
0004509187.tif 000012
【図１２】
0004509187.tif 000013
【図１３】
0004509187.tif 000014
【図１４】
0004509187.tif 000015
【図１５】
0004509187.tif 000016